(57)【要約】【課題】  掴み片を線条で引いて靴べらに十分接近した位置まで閉じることができ、掴み片の閉じ方向、開き方向への回動が円滑な物掴み機能を備えた長靴べら。【解決手段】  長靴べら１は断面コ字状の中空ロッド２を備え、その先端部の表側に、前方に突出し裏面に滑り止め７を設けた靴べら４を取り付け、先端部内に靴べらと協働して物を掴む掴み片５を回動自在に取り付ける。掴み片はロッドの裏側から突出して靴べら方向に湾曲し、その先端部に、内側に波板状凹凸５ｂ１を有するゴム製掴み部５ｂを設ける。掴み片は捩りコイルばねで靴べらと離間方向に付勢して開く。ロッド内に回動自在に取り付けた略Ｌ状のレバー６と、掴み片５の湾曲内側部とに紐１０を取り付け、レバーで引いて掴み片を閉じる。ロッド内には、掴み片とレバーの各前方側の位置に、紐１０を経由させるガイドピン１２ａ、１２ｄを設ける。【選択図】  図１
0003116512.tif 000002
【実用新案登録請求の範囲】
【請求項１】
裏側が長手方向に開口し、後端部に裏側から突出するグリップ部を設けた中空ロッドの先端部の表側に、前方に突出しその裏面に滑り止めを設けた靴べらを取り付け、中空ロッドの先端部内に、内側に凹凸を有するゴム材製の掴み部を先端部に設けた該中空ロッドの裏側から突出して靴べら方向に湾曲する該靴べらと協働して物を掴む掴み片を回動自在に取り付けて、掴み片を該掴み片と中空ロッドとの間に取り付けた捩りコイルばねによって靴べらと離間する方向に付勢して開く一方、
中空ロッド内のグリップ部寄りの位置に、後方側の端部を指掛け部とし、前方側の端部を紐連結部とした略Ｌ状のレバーを回動自在に取り付け、中空ロッド内の少なくとも掴み片とレバーの各前方側の位置にそれぞれガイドピンを設けて、中空ロッド内を通した線条を該ガイドピンを介して掴み片の湾曲内側部とレバーの前方側の端部とに取り付けたことを特徴とする物掴み機能を備えた長靴べら。
【請求項２】
前記掴み片の掴み部に、靴べらに対向する側が凹状の湾曲面に形成された幅広のゴム材製の掴み補助部材を着脱自在に備えることを特徴とする請求項１記載の物掴み機能を備えた長靴べら。
【請求項３】
前記中空ロッドが断面コ字状のアルミフレームからなり、前記靴べら、掴み片、レバーおよびグリップ部がプラスチックからなることを特徴とする請求項１または２記載の物掴み機能を備えた長靴べら。
【考案の詳細な説明】
【技術分野】
【０００１】
本考案は、身体を屈めずに靴を履くのに使用する長尺の長靴べらに係り、詳しくは靴を掴んで揃えることができる等の物掴み機能を備えた長靴べらに関する。
【背景技術】
【０００２】
従来より、身体を余り曲げずに屈ままないで靴を履くことができる柄の長い長靴べらが知られているが、身体の不自由な人などが靴を掴んで揃えたり、下に落し物を拾い上げるなどの用法ができる物掴み機能を備えた長靴べらが、マジックハンド靴べらとして提案されている(例えば特開２００４−８７２５号公報を参照)。
【０００３】
この提案の長靴べらは、中空のロッドの先端部の表側に前方に突出する靴べらを取り付け、該ロッドの先端に裏側から突出する支持台を設けて、その支持台にＬ字状の掴み片の中心部を回動自在に取り付けると共に、掴み片を捩りコイルばねで靴べらに対し離反方向に付勢して開き、ロッドの後端部に設けたグリップ部の手前の裏側位置に溝を設けて、該溝に指掛け部材をスライド自在に取り付けて、ロッド内に通したワイヤーを掴み片の靴べら側の一端部と指掛け部材との間に取り付けてなっている。
【０００４】
本提案の長靴べらによれば、グリップ部に当てた手の指先で指掛け部材を引くと、指掛け部材に連結したワイヤーを介して掴み片の靴べら側の一端部が引かれて、掴み片が取り付け部を中心に回動し靴べらに対し閉じる。したがって、例えば靴の踵を靴べらと掴み片との間で掴むことができ、掴んだ靴を靴の残りの一方と向きを揃えるなどの作業を行うことができる。指掛け部材から指を離せば、捩りコイルばねにより掴み片が開き、ワイヤーが先端方向に引張られて、指掛け部材が元の位置に戻る。
【０００５】
しかしながら、掴み片をＬ字状の部材とし、その掴み片の中心部を中空ロッドの先端に設けた支持台に取り付けているので、掴み片の一端部をワイヤーで引いて回動するにも、一端部がロッド先端と当接して回動するにも限りがあり、掴み片の他端部を靴べらに十分接近した位置まで閉じることができない。このため靴をしっかりと掴むことができず、重い靴などでは脱落する。また床などにある物や落した物を掴む場合にも、掴む物が小さかったり、大きくても薄かったり、重かったりすると、しっかりと掴むことができず脱落する。
【０００６】
また指掛け部材を中空ロッドに設けた溝に取り付けてスライド自在としているので、指掛け部材が溝に引っ掛かり易く、指掛け部材によるワイヤーの引張り、捩りコイルばねによるワイヤーの戻しが円滑に行かず、掴み片の閉じ方向への回動、捩りコイルばねによる掴み片の開き方向への回動が滑らかにできない。
【考案の開示】
【考案が解決しようとする課題】
【０００７】
本考案の課題は、上記の現状に鑑み、掴み片をワイヤー等の線条で引くことによって靴べらに対し十分接近した位置まで閉じることができ、しかも掴み片の閉じ方向、開き方向への回動を円滑に行うことができる物掴み機能を備えた長靴べらを提供することである。
【課題を解決するための手段】
【０００８】
上記課題を解決するために、本考案の物掴み機能を備えた長靴べらは、裏側が長手方向に開口し、後端部に裏側から突出するグリップ部を設けた中空ロッドの先端部の表側に、前方に突出しその裏面に滑り止めを設けた靴べらを取り付け、中空ロッドの先端部内に、内側に凹凸を有するゴム材製の掴み部を先端部に設けた該中空ロッドの裏側から突出して靴べら方向に湾曲する該靴べらと協働して物を掴む掴み片を回動自在に取り付けて、掴み片を該掴み片と中空ロッドとの間に取り付けた捩りコイルばねによって靴べらと離間する方向に付勢して開く一方、中空ロッド内のグリップ部寄りの位置に、後方側の端部を指掛け部とし、前方側の端部を紐連結部とした略Ｌ状のレバーを回動自在に取り付け、中空ロッド内の少なくとも掴み片とレバーの各前方側の位置にそれぞれガイドピンを設けて、中空ロッド内を通した線条を該ガイドピンを介して掴み片の湾曲内側部とレバーの前方側の端部とに取り付けたことを特徴とする。
【０００９】
本考案では、中空ロッドの先端部内に回動自在に取り付けた掴み片を、ロッドの裏側から突出して靴べら方向に湾曲した形状とし、その掴み片の湾曲内側部(前側)に線条を取り付けて掴み片を引くので、掴み片がロッドと当接することがなく、掴み片の先端が靴べらに接触する位置まで十分に回動することができる。しかも、靴べらの離面に滑り止めを設けると共に、掴み片の先端部の掴み部をゴム材製とし、その掴み部の内側に波板状の凹凸を設けたので、靴べらと掴み片との間で靴を初めとする掴む物を、その物が小さい、薄い、重いなどに拘わらず、脱落させることなくしっかりと掴むことができる。
【００１０】
また線条を引く部材をロッド内に回動自在に取り付けた略Ｌ字状のレバーとして、ロッドとの接触の少ないレバーの回動により線条を引くと共に、中空ロッド内に通した線条をロッド内の少なくとも掴み片とレバーの各前方側の位置に設けたガイドピンを介して掴み片の湾曲内側部とレバーとに取り付けるので、摩擦を少なくした線条の移動をすることができる。その結果、レバーによる線条の引きと捩りコイルばねによる線条の戻しとを円滑に行うことができ、掴み片の回動を閉じ方向、開き方向とも滑らかにすることができる。
【００１１】
本考案によれば、前記掴み片の掴み部に、靴べらに対向する側が凹面に形成された幅広のゴム材製の掴み補助部材を着脱自在に備えることができる。このような掴み補助部材を掴み部に装着すれば、靴べらとの間で大きい物でもしっかりと掴むことができる。また本発明によれば、前記中空ロッドを断面コ字状のアルミフレームとし、前記靴べら、掴み片、レバーおよびグリップ部をプラスチックとすることができ、これによって、物掴み機能を備えた長靴べらを軽量なものとすることができ、使用が一段と容易になる。
【考案の効果】
【００１２】
本考案の物掴み機能を備えた長靴べらによれば、掴み片を線条で引くことによって靴べらに対し十分接近した位置まで閉じることができ、靴べらと掴み片との間で靴を初めとする掴む物を、その物が小さい、薄い、重いなどに拘わらず、脱落することなくしっかりと掴むことができ、しかも掴み片の閉じ方向、開き方向への回動が円滑で使用感にも優れる。
【考案を実施するための最良の形態】
【００１３】
以下、本考案の実施例を図面に基づいて説明する。図１は本考案の物掴み機能を備えた長靴べらの一実施例を示す側面図、図２は同正面図、図３は裏面図である。本実施例の長靴べら１は、中空ロッド２の後端部にグリップ部３を設け、先端部に靴べら４と掴み片５とを設け、グリップ部３の手前にレバー６を設けてなっており、本例では、さらに図６に示す掴み補助部材１５を付属品として備える。
【００１４】
中空ロッド２は、裏側が長手方向の全長に亙って開口した断面コ字状の中空のアルミフレームからなり、ロッド２内には、掴み片５とレバー６の間の裏側の開口を塞ぐ断面コ字状のプラスチック製の閉じフレーム１３が取り付けられている。
【００１５】
グリップ部３はプラスチックからなり、中空ロッド２の後端部内に裏側から挿入してリベット止めされ、ロッド２の後端部の裏側から斜め後方に突出されている。グリップ部３には、手で握るときの滑り止めのために、グリップ部３前端部の波板状凹凸３ａ等が設けられている。
【００１６】
靴べら４はプラスチックからなり、その基端部４ａの離面中央に設けられた長手方向一端が閉じた断面コ字状の取り付け部４ｂをロッド２の先端部に嵌装してリベット止めすることにより、ロッド２の先端部の表側にロッド２から前方に突出するように設けられている。靴べら４の離面の前方寄りの位置には、掴み片５と協働して物を掴む際の滑り止め７がローレット加工等により設けられている。
【００１７】
掴み片５はプラスチックからなり、中空ロッド２の裏側から突出して靴べら４の方向に湾曲する湾曲部材に形成されている。掴み片５の基端部は、図４に示すように、中空ロッド２の幅方向に間隔を開けて相対した突片５ａに形成され、その突片５ａに設けたピン孔にロッド２の外面に固定した支持ピン８を貫通させて、掴み片５がロッド２内に回動自在に取り付けられている。そして突片５ａ同士の間で支持ピン８に捩りコイルばね９を嵌装し、そのばね９の一端９ａを掴み片５内に係合し、ばね９の他端９ｂをロッド２内に係合することによって、掴み片５が靴べら４に対し離間する方向に付勢され、ロッド２から直角に突出する開いた姿勢に位置している。
【００１８】
掴み片５の先端部には、靴べら４との間で物を掴みやすいように、ゴム材で形成して摩擦力を大とすると共に、内側を波板状の凹凸５ｂ１に形成し、その表面にギザギザを付けた掴み部５ｂを装着している。掴み片５の長さおよび湾曲は、靴べら４の方向へ閉じると、掴み部５ｂの先端が靴べら４の離面の滑り止め７に当接するように設定されている。掴み片５の湾曲内側部には、掴み片５を引っ張って靴べら４方向に回動するために、掴み片５を引っ張る紐（線条）１０を係合する係合リング５ｃが一体に設けられている。
【００１９】
図６に示す掴み補助部材１５はゴム材からなり、裏面の取り付けブロック１５ａに設けた穴５ａ１に掴み片５の掴み部５ｂの先端を挿入して、掴み片５に着脱自在に取り付けられる。掴み補助部材１５は、靴べら４に対向する側に、凹状に湾曲した幅広の湾曲面１５ｂが設けられている。
【００２０】
レバー６はプラスチックからなり、図５に示すように、直角より若干狭い角度をなす略Ｌ字状に形成されている。このレバー６の一端部は指掛け部６ａであり、他端部は紐連結部６ｂであり、この両端部６ａ、６ｂが交わるレバー６の交差中心部６ｃを中空ロッド２内に挿入し、ロッド２の外面に固定した支持ピン１１を交差中心部６ｃに設けたピン孔に貫通させて、レバー６をロッド２のグリップ部３寄りの位置に回動自在に取り付けている。レバー６の前方側の紐連結部６ｂの先端部には、紐１０の他端部を通して取り付けるための貫通孔６ｂ１と該貫通孔が臨む凹部６ｂ２とが設けられている。図では、紐連結部６ｂは、これに取り付けた紐１０を介して掴み片５により引っ張られてレバー６が回動し、中空ロッド２内に位置している。
【００２１】
中空ロッド２内には紐１０をガイドするために、掴み片５の前方側のロッド２の先端に近い位置とレバー６の紐連結部６ｂに近接した前方側の少なくとも２つの位置に、ロッド２の外面からリベット止めされたガイドピン１２ａ、１２ｂが設けられている。本例では、さらに掴み片５の前後の近接した位置にガイドピン１２ｃ、１２ｄが設けられており、このガイドピンは中空ロッド２への靴べら４の取付けを兼ねて、取り付け部４ｂ上からリベット止めされている。
【００２２】
紐１０は中空ロッド２内に通され、その紐１０の一端部１０ａは、ガイドピン１２ｄ、支持ピン８、ガイドピン１２ｃ、最先端のガイドピン１２ａを経てロッド２の裏側の開口から外に導出し、掴み片５の係合リング５ｃに潜らせ、折り返して係合し、再度ガイドピン１２ａからガイドピン１２ｃ、支持ピン８を経て、ガイドピン１２ｄの手前で折り返してきた一端部１０ａを紐１０自体にかしめリング１４で固定している。紐１０の他端部１０ｂは、ガイドピン１２ｂを経由してレバー６の前方側の紐連結部６ｂの貫通孔６ｂ１から凹部６ｂ２内に抜き出して、抜けないように凹部６ｂ２内で結び目を作って紐連結部６ｂに固定している。なお、閉じフレーム１３は、掴み片５とレバー６の間の内側のガイドピン１２ｄと１２ｂの間の裏側の開口を塞ぐ。
【００２３】
本考案の物掴み機能を備えた長靴べらは、以上のように構成され、長靴べら１のグリップ部３に当てた手の指をレバー６の後方側の指掛け部６ａに掛けて引き、レバー６を回動して紐１０を後方に引くと、紐１０によって掴み片５が捩りコイルばね９の付勢力に抗して引張られて、掴み片５が靴べら４方向に回動する。この紐１０による掴み片５の回動は、掴み片５の内側湾曲部(前側)を引張って行うので、掴み片５が中空ロッド２と当接することがなく、掴み片５の先端が靴べら４に接触する位置まで十分に回動することができる。しかも、靴べら４の離面に滑り止め７を設け、掴み片５には先端部にゴム材製の掴み部５ｂを設け、その掴み部５ｂの内側に波板状の凹凸を設けたので、靴べら４と掴み片５との間で掴む物、例えば靴を挟んでしっかりと掴むことができ、靴が重くても脱落することがない。また掴む物が小さい物でも、薄い物でも、脱落することなくしっかりと掴むことができる。
【００２４】
レバー６から指を離せば、捩りコイルばね９により掴み片５が開き、紐１０が先端方向に引張られて、レバー６が上記と逆方向に回動して、紐連結部６ｂがロッド２内の元の位置に戻る。
【００２５】
このように、紐１０を引くのに中空ロッド２との接触が少ないレバー５の回動を利用するので、レバー６による紐１０の引っ張りと、捩りコイルばね９による紐１０の戻しの際に、レバー５を円滑に回動することができる。また中空ロッド２内を通した紐１０を、ロッド２内の少なくとも掴み片５の前方側とレバー６の前方側の各位置に設けたガイドピン１２ａ、１２ｄを介して、掴み片５とレバー６とに取り付けるので、摩擦の少ない紐１０の移動をすることができる。その結果、掴み片５の回動を閉じ方向、開き方向とも滑らかに行うことができる。
【００２６】
また掴み片５の掴み部５ｂに掴み補助部材１５を取り付けたときには、補助部材１５を靴べら４に対向する側が凹状に湾曲する幅広面１５ｂに形成しているので、靴べら４と掴み片５との間で大きい物でもしっかりと掴むことができる。
【００２７】
以上の実施例では、中空ロッド２は断面コ字状のフレームとしたが、本考案明はこれに限られず、断面矩形、断面円形等のフレームであってもよく、そのフレームの靴べら４を取り付ける側とは反対の裏側の必要箇所に切り欠き状の開口を設ければよい。
【図面の簡単な説明】
【００２８】
【図１】本考案の物掴み機能を備えた長靴べらの一実施例を示す側面図である。
【図２】図１の長靴べらの正面図である。
【図３】図１の長靴べらの裏面図である。
【図４】図１の長靴べらの掴み片の取り付け部を示す断面図である。
【図５】図１の長靴べらのレバーの取り付け部を示す断面図である。
【図６】図１の長靴べらの掴み片の掴み部に着脱自在に取り付けられる掴み補助部材を示す斜視図(ａ)および取りつけたところを示す側面図(ｂ)である。
【符号の説明】
【００２９】
１    物掴み機能を備えた長靴べら      ２    中空ロッド
４    靴べら                          ５    掴み片
５ｂ  掴み部                          ５ｃ  係合リング
６    レバー                          ６ａ  指掛け部
６ｂ  紐連結部                        ７    滑り止め
８、１１  支持ピン                    ９    捩りコイルばね
１０  紐                              １２ａ〜１２ｄ  ガイドピン
１５  掴み補助部材
【図１】
0003116512.tif 000003
【図２】
0003116512.tif 000004
【図３】
0003116512.tif 000005
【図４】
0003116512.tif 000006
【図５】
0003116512.tif 000007
【図６】
0003116512.tif 000008